(57)【要約】【課題】安全を担保するための端子カバーの取付けを確実に行うことができ、製作が容易な電子機器操作盤の壁埋め込み電源収納ボックスを提供可能する。【解決手段】電源７を収納する電源ケース１４と、電源ケース１４より突出した交流電源線９の端子台１９を覆う金属板の端子カバー１３と、電源ケース１４と端子カバー１３を電源収納ボックス３に同軸に共締めるビス１６よりなり、取付けビス１６のねじ頭の外径φＤより大きな切り欠き穴φＢを電源ケース１４に設け、端子カバー１３を装着しなければ電源ケース１４を電源収納ボックス３に固定することが不可能としたものである。【選択図】図５
2010226825.tif 000002
【特許請求の範囲】
【請求項１】
屋内壁面に取付けられる電子機器操作盤の電源を収納し、前記電子機器操作盤を壁面に取付け電源を壁内に埋め込む電源収納ボックスにおいて、前記電源を収納する電源ケースと、前記電源ケースより突出した交流電源線の接続端子台と、前記端子台を覆う金属板の端子カバーと、前記電源ケースと端子カバーを電源収納ボックスに同軸に共締めるビスとから構成され、前記電源ケースに前記取付ビスの頭の外径より大きな切り欠き穴を設け、前記端子カバーを装着しなければ前記電源ケースを固定することが不可能とする電源収納ボックス。
【請求項２】
電源収納ボックスは樹脂製で、前記樹脂ケースに前記電源ケースの金属板の切り欠き穴が嵌合しかつ板厚と相当の段差のあるボスを設けたことを特徴とする電源収納ボックス。
【発明の詳細な説明】
【技術分野】
【０００１】
本発明は、屋内に取付けられる電子機器操作盤の電源を内部に収納し壁内面に埋め込まれるとともに電子機器操作盤を壁面に体裁よく取付けるための電源収納ボックスの内部電源部の取付け構造に関するものである。
【背景技術】
【０００２】
近年、家庭の電子化ＩＴ化が進み宅内に様々な電子機器が取付けられるようになった。例えばマンションなどの集合住宅や一般の戸建住宅においても、給湯器のリモコンやＴＶ付きインターホン、インターネット端末、ホームセキュリティシステムの操作盤など、様々な電子機器の操作盤が多数取付けられている。
【０００３】
これらの電子機器操作盤の多くは有線で交流電源線が接続されているが、交流電源線は室内に露出して配線すると見栄えが悪いため、取付けられる壁面の内側に穴を開けて、その穴より引き出し直接操作盤の裏面に接続している。また操作盤の種類によっては交流を直流に変換する電源が操作盤の外部に必要となり、電源を収納するとともに体裁よく操作盤を壁面に取付ける壁埋め込み電源収納ボックスが開発されている。
【０００４】
この電子機器操作盤は電源収納ボックスを介して壁面に取付けられるが、電力を供給するために有線の高圧交流電線が引き込まれ、電源内の電源トランスを用いて直流電流に変換された電流を、その作動のための動力源としている。
【０００５】
これらの電子機器操作盤の交流電源を接続する接続端子台は接続する電源線の締付け忘れ・緩み防止と端子カバーの取付け忘れを防止するため、次の図１１に示す構成をとっている従来例がある。
【０００６】
端子台本体３１に、締付状態を電気接続状態とする端子ねじ３８を備える。端子台本体３１に、端子ねじ３８を覆う端子カバー５１を装着する。端子カバー５１の端子ねじ３８に対向する面に突起５３を設ける。端子ねじ３８が締付状態にあると、端子カバー５１が端子台本体３１に完全に装着できる。端子ねじ３８が緩んだ状態にあると、端子カバー５１の突起５３が端子ねじ３８に接触し、端子カバー５１を端子台本体３１に完全に装着できなくして、端子カバー５１の装着によって端子ねじ３８の締め忘れを確認する仕組みとしている。
【特許文献１】特開平９−９７５５５号公報
【発明の開示】
【発明が解決しようとする課題】
【０００７】
交流電源は一般的に１００Ｖを超える高い電圧であるため、最悪の想定として交流を直流に変換するトランスの故障、内部回路の劣化・短絡による発熱・発火を考慮することが設計的に求められる。そのため高電圧が負荷される回路部分は、内部の電子部品や樹脂部品、ケーブルコードなどの延焼を防止するために金属板のケースで隙間なく覆う構成がとられる。
【０００８】
交流電源線を接続する接続端子台についても、接続部分にトラッキング現象が発生すると発火源となりうるため、電源線の引き込み口のみを開けて端子台全体を覆う延焼防止の金属板のカバーを、安全を担保するフールプルーフとして設けられる。
【０００９】
しかしながら、上記の従来例では、電気接続状態を締付状態で表示する端子ねじ３８と
端子カバー５１を備えているが、端子ねじ３８を覆う端子カバー５１を装着しなくても端子ねじ３８で電線４３を端子台本体３１に接続することが構造上可能である。よって端子カバーを取付けずに接続工事を行なうような作業ミスや、煩雑な作業を嫌った工事現場での故意による取外しを防止することができない。
【００１０】
このように端子カバーが装着されない場合、最悪の想定としては電源内部部品が故障・劣化により発火し、電源を接続している電子機器までが延焼することが考えられる。
【課題を解決するための手段】
【００１１】
本発明は上記の課題を解決するため、電源を収納する電源ケースと、前記電源ケースより突出した交流電源線の接続端子台と、前記端子台を覆う金属板の端子カバーと、前記電源ケースと端子カバーを電源収納ボックスに同軸に共締めるビスよりなり、電源ケースに前記取付ビスの頭の外径より大きな切り欠き穴を設け、前記端子カバーを装着しなければ電源ケースを電源収納ボックスに固定することが不可能としたものである。
【発明の効果】
【００１２】
本発明ではかかる課題を解決し、安全を担保するための端子カバーの取付けを確実に行うことができ、製作が容易な電子機器操作盤の壁埋め込み電源収納ボックスを提供可能となる。
【発明を実施するための最良の形態】
【００１３】
第１の発明の壁埋め込み電源収納ボックスの電源の取付構造は、屋内壁面に取付けられる電子機器操作盤の電源を収納し、前記電子機器操作盤を壁面に取付け電源を壁内に埋め込む電源収納ボックスにおいて、前記電源を収納する電源ケースと、前記電源ケースより突出した交流電源線の接続端子台と、前記端子台を覆う金属板の端子カバーと、前記電源ケースと端子カバーを電源収納ボックスに同軸に共締めるビスよりなり、電源ケースに前記取付ビスの頭の外径より大きな切り欠き穴を設け、前記端子カバーを装着しなければ電源ケースを電源収納ボックスに固定することが不可能とする特徴としたものである。
【００１４】
本発明の電源収納ボックスにおける取付構造では、電源ケースに取付ビスの頭の外径より大きな切り欠き穴を設けているため、端子カバーを装着して共締めしなければ、取付ビスは電源ケースを電源収納ボックスに固定することができず、端子カバーの付け忘れや故意の取外しができない。
【００１５】
第２の発明の壁埋め込み電源収納ボックスの電源の取付構造は、電源収納ボックスを樹脂で製作し、前記樹脂ケースに前記電源ケースの金属板の切り欠き穴が嵌合しかつ板厚と相当の段差のあるボスを設けたことを特徴としている。
【００１６】
本発明の電源収納ボックスでは、電源ケースの金属板の切り欠き穴と樹脂製の電源収納ボックスのボス部が嵌合するため、電源ケースと電源収納ボックスの位置合わせを容易に行うことが可能となる。
【００１７】
以下、本発明の実施の形態について図面を用いて説明する。なお、この実施の形態によって本発明が限定されるものではない。
【００１８】
（実施の形態１）
本実施形態は、電源収納ボックスを住宅の部屋の壁に空けた取付け穴に埋め込み、電子機器操作盤を電源収納ボックスの前面に取付けた例である。
【００１９】
図１は本発明の実施の形態１による電源収納ボックス３と電子機器操作盤１の壁２への
取付けを示す外観図、図２はその断面図である。
【００２０】
電源収納ボックス３は樹脂で成型され、電源７や電話信号を処理する電話信号処理装置８が収納される収納部５と、電子機器操作盤１を取付けたり壁面２に固定するための取付け枠部６で構成される。壁２には取付け穴４が空けられ４本の取付けねじ（図示せず）が電源収納ボックス３の取付け枠部６の四隅に空けられた取付け穴（図示せず）を貫通して、壁２に電源収納ボックス３を固定する。
【００２１】
電源収納部５の側面には壁２内部より引き込まれた交流電源線９や電話信号線１０をそれぞれ内部に引き込むゴム製のブッシュ１１、ブッシュ（小）１２が設けられ、入力した交流電流を直流電流に変換して出力する電源７や電話信号処理装置８に接続されている。
【００２２】
電子機器操作盤１のケースには電子基板（図示せず）が内蔵され、変換された直流電源線と処理された電話信号線が、ケースの背面より引き込まれ接続されている。ケースの前面には操作パネルがあり、ケースの背面を固定ねじ（図示せず）が貫通して電源収納ボックス３の取付け枠部６に取付けられ、電子機器操作盤１を電源収納ボックス３に固定している。
【００２３】
図３は本発明の実施の形態１による壁に取付けた電源収納ボックスに内蔵される電源筺体の構成やその取付けを示す外観図、図４は電源の上カバーと端子カバーを取り去った電源の内部構成と電気的接続を説明する内観図である。
【００２４】
電源７の筺体は金属板からなる電源ケース１４に、同じく金属板の電源上カバー１５を４本の上カバー取付ビス１７で固定される。そして２本の取付ビス１６で端子カバー１３を共締めで、１本の取付ビス１６で直接に電源収納ボックス３に固定される（図３）。
【００２５】
壁２の内面より電源収納ボックス３の内部に引き込まれた交流電源線９は電源７の内部に設けられた端子台１９に取付けられ、接続線２２を介して交流電流を直流電流に変換するトランス２０に接続される。そして接続線２３より電源の制御基板２１に、制御基板２１より直流電源線１８を伝わり、電子機器操作盤の基板（図示せず）に接続され、直流に変換された電力が供給される。
【００２６】
ここで端子カバー１３、電源ケース１４、電源上カバー１５は金属製で、前述のように供給される交流電源は１００Ｖを超える高い電圧であるため、トランスなどの内部部品・回路の劣化・故障による発火・延焼が最悪の想定として考えられる。よってフールプルーフとして、高電圧が負荷される回路部分は、電源内部の電子部品や樹脂、ケーブル線の延焼を防止するため金属板のケースで隙間なく覆っている。
【００２７】
交流電源線９を接続する接続端子台１９についても、交流電源線１９の接続部分にトラッキング現象を引き起こした場合に発火源となりうるため、電源線の引き込み口のみを開けて端子台１９全体を覆う金属板の端子カバー１３を、発火に対する安全を担保する部品として設けている。
【００２８】
次に電源７と端子カバー１３の電源収納ボックス３への取付けの詳細を図５から図９を用いて説明する。図５は電源ケース１４と端子カバー１３および取付ビス１６の電源収納ボックス３への取付け構成を示す斜視分解図、図６から図９はその取付け構成の詳細や寸法を、取り付ける順番に説明する斜視図である。
【００２９】
樹脂製の電源収納ボックス３には電源ケース１４を固定するために取付けボス２４が２ヵ所設けられる。そのボス先端には、電源ケース１４の切り欠き穴２６が嵌合する、外形
φＡ、高さがＨの段差２５が設けられている（図６）。
【００３０】
次に装着する電源ケース１４には前記段差２５に対応する切り欠き穴２６が２ヵ所設けられている。この切り欠き穴２６の内径寸法φＢは前記段差の外形φＡと同じであり、取付けビス１６のビスの頭の外形φＤより大きくとっている。また前記段差の高さＨは電源ケース１４の板厚Ｔに等しくしている。
【００３１】
電源ケース１４の切り欠き穴２６と取付けボス２４は径が等しいため、中心を同軸にし、取付けボス２４の先端平面と電源ケース１４の取付け面が同一平面にとなって嵌合する。この取付けボス２４の段差２５により電源ケース１４は電源収納ボックス３に対する位置決めされるため、特に垂直に設置される電源収納ボックスを工事するときの電源ケースの仮固定を容易にする（図７）。
【００３２】
次に端子カバー１３を電源カバー１４の取付け面の上から被せる。この端子カバー１３の取付けビス穴２７のねじ穴径φＣは取付けビス１６のねじ部の径より大きく、またビス頭の径φＤより小さくとっている（図８）。
【００３３】
最後に取付けビス１６を２本、端子カバー１３の取付けビス穴２７を通して、電源収納ケース３の取付けボス２４にねじ込み、端子カバー１３を締付ける。端子カバー１３より電源ケース１４を間接的に取付けボス２４に締付けられ、電源７は電源収納ボックス３に固定される（図９）。
【００３４】
図１０は端子カバーを着けずに電源７を電源収納ボックス３に固定しようとした場合の図である。電源ケース１４の切り欠き穴２６の内径φＢは取付けねじ１６のねじ頭の外径φＤより大きく取っていて、ねじ頭が切り欠き穴に引っかからないため、直接取付けねじ１６で電源収納ボックスの取付けボス２４に固定することはできない。
【００３５】
以上のような構成にすることにより、電源３の内部部品の発火・延焼を想定したときの安全を担保する端子カバーの電源ケース１４への取付けをフールプルーフで確実に行うことができる。加えて電源ケース１４の電源収納ボックス３への取り付けも簡単となる。
【産業上の利用可能性】
【００３６】
以上のように本発明にかかる電源収納ボックスの電源取付け構造は、電源ケース内部の部品の発火・延焼を想定したときの安全を担保する端子カバーの電源ケースへの取付けをフールプルーフで確実に行うことができる。また電源収納ボックスは樹脂製で製作が容易あり、電源ケースの取り付けも簡単な電子機器操作盤の壁埋め込み電源収納ボックスを提供可能となる。
【図面の簡単な説明】
【００３７】
【図１】本発明の実施の形態１の電子機器操作盤と電源収納ボックスの壁への取付けを示す外観図
【図２】本発明の実施の形態１の電子機器操作盤と電源収納ボックスの壁への取付けを示す断面図
【図３】本発明の実施の形態１の電源収納ボックスに内蔵される電源筺体の構成やその取付けを示す外観図
【図４】本発明の実施の形態１の電源の上カバーと端子カバーを取り去った電源の内部構成と電気的接続を説明する内観図
【図５】本発明の実施の形態１の電源ケースと端子カバーおよび取付ビスの電源収納ボックスへの取付け構成を示す斜視分解図
【図６】本発明の実施の形態１の電源ケースと端子カバーおよび取付ビスの電源収納ボックスへの取付けを示す斜視図
【図７】本発明の実施の形態１の電源ケースと端子カバーおよび取付ビスの電源収納ボックスへの取付けを示す斜視図
【図８】本発明の実施の形態１の電源ケースと端子カバーおよび取付ビスの電源収納ボックスへの取付けを示す斜視図
【図９】本発明の実施の形態１の電源ケースと端子カバーおよび取付ビスの電源収納ボックスへの取付けを示す斜視図
【図１０】本発明の実施の形態１の端子カバーを着けずに電源ケースを電源収納ボックスへの取付した状態を示す斜視図
【図１１】従来の実施例における端子台の断面図
【符号の説明】
【００３８】
１  電子機器操作盤
２  壁
３  電源収納ボックス
７  電源
９  交流電源線
１３  端子カバー
１４  電源ケース
１５  電源上カバー
１６  取付けビス
１９  端子台
２４  取付けボス
２５  段差
２６  切り欠き穴
φＡ  段差の外径
φＢ  切り欠き穴の内径
φＣ  端子カバーのねじ穴径
φＤ  取付けビスの外径
【図１】
2010226825.tif 000003
【図２】
2010226825.tif 000004
【図３】
2010226825.tif 000005
【図４】
2010226825.tif 000006
【図５】
2010226825.tif 000007
【図６】
2010226825.tif 000008
【図７】
2010226825.tif 000009
【図８】
2010226825.tif 000010
【図９】
2010226825.tif 000011
【図１０】
2010226825.tif 000012
【図１１】
2010226825.tif 000013